(57)【要約】【課題】無駄な電力使用を低減する入退場管理システム、入退場管理装置、入退場管理方法及びプログラムを提供する。【解決手段】入退場管理装置と複数の情報処理装置とを有して構成される入退場管理システムであって、入退場管理装置は、複数の情報処理装置それぞれの電源の状態と当該情報処理装置を使用するユーザの識別番号とを関連付けて記述したデータベースを記憶する記憶手段と、識別番号の入力を受ける入力手段と、データベースに基づき、入力手段により入力された識別番号に関連付けられた情報処理装置の電源の状態を確認する確認手段と、確認手段により確認された情報処理装置の電源の状態がＯＮであるときに、当該情報処理装置を使用するユーザに対する処分を行うユーザ処分手段と、を有し、複数の情報処理装置は、起動時とシャットアウト時にデータベースに記述された電源の状態の記載を更新する更新手段を、有する。【選択図】図６
2011170608.tif 000002
【特許請求の範囲】
【請求項１】
入退場管理装置と複数の情報処理装置とを有して構成される入退場管理システムであって、
前記入退場管理装置は、
前記複数の情報処理装置それぞれの電源の状態と当該情報処理装置を使用するユーザの識別番号とを関連付けて記述したデータベースを記憶する記憶手段と、
前記識別番号の入力を受ける入力手段と、
前記データベースに基づき、前記入力手段により入力された識別番号に関連付けられた情報処理装置の電源の状態を確認する確認手段と、
前記確認手段により確認された情報処理装置の電源の状態がＯＮであるときに、当該情報処理装置を使用するユーザに対する処分を行うユーザ処分手段と、を有し、
前記複数の情報処理装置は、
起動時とシャットアウト時に前記データベースに記述された電源の状態の記載を更新する更新手段を、有することを特徴とする入退場管理システム。
【請求項２】
前記ユーザに対する処分は、扉の錠を開錠しないことであることを特徴とする請求項１に記載の入退場管理システム。
【請求項３】
前記ユーザに対する処分は、警告音を鳴らすことであることを特徴とする請求項１または２のいずれか１項に記載の入退場管理システム。
【請求項４】
接続した複数の情報処理装置それぞれの電源の状態と当該情報処理装置を使用するユーザの識別番号とを関連付けて記述したデータベースを記憶する記憶手段と、
前記識別番号の入力を受ける入力手段と、
前記データベースに基づき、前記入力手段により入力された識別番号に関連付けられた情報処理装置の電源の状態を確認する確認手段と、
前記確認手段により確認された情報処理装置の電源の状態がＯＮであるときに、当該情報処理装置を使用するユーザに対する処分を行うユーザ処分手段と、を有することを特徴とする入退場管理装置。
【請求項５】
前記データベースに記述された前記情報処理装置の電源の状態の記載を更新する更新手段を有することを特徴とする請求項１に記載の入退場管理装置。
【請求項６】
前記ユーザに対する処分は、扉の錠を開錠しないことであることを特徴とする請求項４または５のいずれか１項に記載の入退場管理装置。
【請求項７】
前記ユーザに対する処分は、警告音を鳴らすことであることを特徴とする請求項４から６のいずれか１項に記載の入退場管理装置。
【請求項８】
入退場管理装置による、
接続した複数の情報処理装置それぞれの電源の状態と当該情報処理装置を使用するユーザの識別番号とを関連付けて記述したデータベースを記憶する記憶ステップと、
前記データベースに基づき、前記ユーザにより入力された識別番号に関連付けられた情報処理装置の電源の状態を確認する確認ステップと、
前記確認ステップにより確認された情報処理装置の電源の状態がＯＮであるときに、当該情報処理装置を使用するユーザに対する処分を行うユーザ処分ステップと、を有し、
前記複数の情報処理装置による、
起動時とシャットアウト時に前記データベースに記述された電源の状態の記載を更新する更新ステップを、有することを特徴とする入退場管理方法。
【請求項９】
接続した複数の情報処理装置それぞれの電源の状態と当該情報処理装置を使用するユーザの識別番号とを関連付けて記述したデータベースを記憶する記憶ステップと、
前記データベースに基づき、ユーザにより入力された識別番号に関連付けられた情報処理装置の電源の状態を確認する確認ステップと、
前記確認ステップにより確認された情報処理装置の電源の状態がＯＮであるときに、当該情報処理装置を使用するユーザに対する処分を行うユーザ処分ステップと、を有することを特徴とする入退場管理方法。
【請求項１０】
入退場管理装置を、
接続した複数の情報処理装置それぞれの電源の状態と当該情報処理装置を使用するユーザの識別番号とを関連付けて記述したデータベースを記憶する記憶手段と、
前記識別番号の入力を受ける入力手段と、
前記データベースに基づき、前記入力手段により入力された識別番号に関連付けられた情報処理装置の電源の状態を確認する確認手段と、
前記確認手段により確認された情報処理装置の電源の状態がＯＮであるときに、当該情報処理装置を使用するユーザに対する処分を行うユーザ処分手段として機能させるプログラム。
【発明の詳細な説明】
【技術分野】
【０００１】
本発明は、入退場を管理する入退場管理システム、入退場管理装置、入退場管理方法及びプログラムに関する。
【背景技術】
【０００２】
退社時に、ＰＣ（パーソナルコンピュータ）や部屋の照明などの電源を切り忘れることがある。そこで、例えば、特許文献１〜３には、出退社などを監視し、退社したユーザの使用するＰＣなどのＯＡ機器や照明などの電源を自動的にＯＦＦにする方法が開示されている。このような方法を使用することにより、電源を切り忘れたときなどでも、無駄な電力使用を低減することが可能になる。
【０００３】
しかし、ＰＣなどの機器は、自動的に電源を切ることにより、問題が生じることがある。例えば、作業中のデータなど、つまり、ＰＣのメモリ上にあるデータなどは、電源を切る前に、ハードディスクなどの記憶手段に保存する必要がある。しかし、上記の方法により、自動的に電源をＯＦＦになってしまうと、それらのデータが失われてしまう。
【０００４】
そこで、特許文献４には、ユーザの退場と、退場後の電気使用量を監視し、退場後も電気使用量が所定の値を超えているような場合には、管理室の警告灯を点灯することにより、管理人に電源を切り忘れた機器があることを知らせる方法が開示されている。この方法では、管理人がそれらの機器の電源をＯＦＦにすることにより、無駄な電力使用を低減する。
【先行技術文献】
【特許文献】
【０００５】
【特許文献１】特開２００２−１８２８０６号公報
【特許文献２】特開２００４−１３９４０９号公報
【特許文献３】特開２００９−２１７４４４号公報
【特許文献４】特開平１０−２０８１７３号公報
【発明の概要】
【発明が解決しようとする課題】
【０００６】
しかしながら、特許文献４に開示された方法では、管理人という第三者が機器の電源をＯＦＦにすることになる。ＰＣには第三者には見られたくないデータなどが保存されていることがある。よって、特許文献４に開示された方法では、セキュリティーの面で問題がある。
【０００７】
そこで本発明は、上記問題点に鑑みてなされたもので、無駄な電力使用を低減する入退場管理システム、入退場管理装置、入退場管理方法及びプログラムを提供することを目的とする。
【課題を解決するための手段】
【０００８】
上記課題を解決するため、本発明における入退場管理システムは、入退場管理装置と複数の情報処理装置とを有して構成される入退場管理システムであって、前記入退場管理装置は、前記複数の情報処理装置それぞれの電源の状態と当該情報処理装置を使用するユーザの識別番号とを関連付けて記述したデータベースを記憶する記憶手段と、前記識別番号の入力を受ける入力手段と、前記データベースに基づき、前記入力手段により入力された識別番号に関連付けられた情報処理装置の電源の状態を確認する確認手段と、前記確認手段により確認された情報処理装置の電源の状態がＯＮであるときに、当該情報処理装置を使用するユーザに対する処分を行うユーザ処分手段と、を有し、前記複数の情報処理装置は、起動時とシャットアウト時に前記データベースに記述された電源の状態の記載を更新する更新手段を、有することを特徴とする。
【０００９】
また、本発明における入退場管理装置は、接続した複数の情報処理装置それぞれの電源の状態と当該情報処理装置を使用するユーザの識別番号とを関連付けて記述したデータベースを記憶する記憶手段と、前記識別番号の入力を受ける入力手段と、前記データベースに基づき、前記入力手段により入力された識別番号に関連付けられた情報処理装置の電源の状態を確認する確認手段と、前記確認手段により確認された情報処理装置の電源の状態がＯＮであるときに、当該情報処理装置を使用するユーザに対する処分を行うユーザ処分手段と、を有することを特徴とする。
【００１０】
また、本発明における入退場管理方法は、入退場管理装置による、接続した複数の情報処理装置それぞれの電源の状態と当該情報処理装置を使用するユーザの識別番号とを関連付けて記述したデータベースを記憶する記憶ステップと、前記データベースに基づき、前記ユーザにより入力された識別番号に関連付けられた情報処理装置の電源の状態を確認する確認ステップと、前記確認ステップにより確認された情報処理装置の電源の状態がＯＮであるときに、当該情報処理装置を使用するユーザに対する処分を行うユーザ処分ステップと、を有し、前記複数の情報処理装置による、起動時とシャットアウト時に前記データベースに記述された電源の状態の記載を更新する更新ステップを、有することを特徴とする。
【００１１】
また、本発明における入退場管理方法は、接続した複数の情報処理装置それぞれの電源の状態と当該情報処理装置を使用するユーザの識別番号とを関連付けて記述したデータベースを記憶する記憶ステップと、前記データベースに基づき、ユーザにより入力された識別番号に関連付けられた情報処理装置の電源の状態を確認する確認ステップと、前記確認ステップにより確認された情報処理装置の電源の状態がＯＮであるときに、当該情報処理装置を使用するユーザに対する処分を行うユーザ処分ステップと、を有することを特徴とする。
【００１２】
また、本発明におけるプログラムは、入退場管理装置を、接続した複数の情報処理装置それぞれの電源の状態と当該情報処理装置を使用するユーザの識別番号とを関連付けて記述したデータベースを記憶する記憶手段と、前記識別番号の入力を受ける入力手段と、前記データベースに基づき、前記入力手段により入力された識別番号に関連付けられた情報処理装置の電源の状態を確認する確認手段と、前記確認手段により確認された情報処理装置の電源の状態がＯＮであるときに、当該情報処理装置を使用するユーザに対する処分を行うユーザ処分手段として機能させる。
【発明の効果】
【００１３】
本発明により、無駄な電力使用を低減することができる。
【図面の簡単な説明】
【００１４】
【図１】本発明の実施形態に係る入退場管理システムの構成例を示す図である。
【図２】本発明の実施形態に係る電気錠制御装置の構成例を示す図である。
【図３】本発明の実施形態に係るデータベースの記述例を示す図である。
【図４】本発明の実施形態に係る入退場管理システムにおける処理動作例を示す図である。
【図５】本発明の実施形態に係る入退場管理システムにおける処理動作例を示す図である。
【図６】本発明の実施形態に係る入退場管理装置における処理動作例を示す図である。
【発明を実施するための形態】
【００１５】
次に、本発明を実施するための形態について図面を参照して詳細に説明する。入退場管理装置を用い、事務所への入退場を管理しているＡ社は、社員がＰＣ電源を切り忘れた状態で退社することによる電気料金の増大について頭を悩ませていた。そこで本発明に係る入退場管理システムを導入することによりＡ社は電気料金を低減させることに成功する。本発明の実施形態は以下の通りである。
【００１６】
＜入退場管理システムの構成例＞
図１は、本発明の実施形態に係る入退場管理システムの構成例を示す図である。本実施形態に係る入退場システムは、入退場管理装置１００と、複数のＰＣ（パーソナルコンピュータ）２００を有して構成される。入退場管理装置１００と複数のＰＣ２００とは、ネットワークを介して接続している。
【００１７】
入退場管理装置１００は、電気錠制御装置１１０と、カードリーダ１２０と、電気錠１３０を有して構成される。入退場管理装置１００は、各部屋やオフィスビルなどの入退場口に設置にされ、設置された部屋などに、どのユーザが入場したのか、退場したのか、を管理する。本実施形態の入退場管理装置１００は、ユーザの使用するＰＣ２００の電源のＯＮ／ＯＦＦ状態も管理する。そして、本実施形態の入退場管理装置１００は、ユーザの退場時に、そのユーザの使用するＰＣ２００の電源の状態に基づき、入退場口の施錠・開錠の制御を行う。以下では、入退場管理装置１００は、各部屋に設置されているとして、本発明の一実施形態を説明するが、上述したように、本発明の実施形態に係る入退場管理装置１００の設置場所としては、いろいろと考えられる。
【００１８】
カードリーダ１２０は、入退場管理装置１００が設置された部屋の入退場口の外側と内側にそれぞれ設置される。カードリーダ１２０は、この入退場管理装置１００が設置された部屋のユーザを識別する識別番号（ＩＤ番号）を記憶した識別カード（ＩＤカード）から、この記憶された識別番号を読み取り、その読み取った識別番号を電気錠制御装置１１０に送る。カードリーダ１２０と電気錠制御装置１１０とは、例えば、シリアル接続により接続するようにすると良い。また、例えば、識別カードとして、ＩＣチップを備えたＩＣカードを用い、ＩＣチップに識別番号を記憶するようにすると良い。
【００１９】
電気錠１３０は、入退場管理装置１００が設置された部屋の入退場口の扉の錠である。電気錠１３０は、通常時に施錠された状態であるようにしても良いし、通常時に開錠された状態であるようにしても良い。通常時に施錠された状態であるようにした場合は、電気錠制御装置１１０から開錠命令を受けたときに開錠するようにする。また、通常に開錠された状態であるようにした場合は、電気錠制御装置１１０から施錠命令を受けたときに施錠するようにする。
【００２０】
＜電気錠制御装置１１０の構成例＞
図２は、本発明の実施形態に係る電気錠制御装置１１０の構成例を示す図である。本実施形態に係る電気錠制御装置１１０は、記憶部１１１と、認証部１１２と、電気錠制御部１１３と、ユーザ処分部１１４と、フラグ更新部１１５と、を有して構成される。
【００２１】
記憶部１１１は、入退場管理装置１００が設置された部屋のユーザの識別番号とそのユーザの使用するＰＣ２００の電源のＯＮ／ＯＦＦの状態を示す情報とを関連付けてデータベースとして記憶している。このデータベースは、例えば、図３に示すように記述されるようにすると良い。図３に示したデータベースでは、ユーザそれぞれに１台のＰＣ２００が関連付けられているが、複数台のＰＣ２００が関連付けられていても良いし、ＰＣ２００以外の機器の電源状態の情報と関連付けられていても良い。ＰＣ２００の電源のＯＮ／ＯＦＦの情報は、例えば、ＯＮであるときは「０」と記述され、ＯＦＦであるときは「１」と記述される電源フラグとして記憶するようにすると良い。
【００２２】
認証部１１２は、カードリーダ１２０から識別番号が送られてきたときに、その識別番号が記憶部１１１に記憶されたデータベースに記載されているかどうかを確認する。識別番号がデータベースに記載されていたときは、認証に成功したとして、認証成功の情報を電気錠制御部１１３に送信する。また、識別番号がデータベースに記載されていないときに、認証が失敗したとして、認証失敗の情報を電気錠制御部１１３に送信するようにしても良い。
【００２３】
電気錠制御部１１３は、認証部１１２から認証成功の情報を受けたときに、電気錠の開錠・施錠の制御を行う。例えば、電気錠１３０が通常時に施錠された状態である場合は、ユーザの入場時に、認証部１１２から認証成功の情報を受けたときは、開錠命令を電気錠１３０に送信する。また、ユーザの退場時に、認証部１１２から認証成功の情報を受けたときは、そのユーザの使用するＰＣ２００の電源の状態を記憶部１１１に記憶されたデータベースにより確認する。そして、ＰＣ２００の電源がＯＦＦであることが確認されれば、電気錠１３０に開錠命令を送信し、ＰＣ２００の電源がＯＮであることが確認されたときは、ユーザ処分部１１４に処分命令を送信する。
【００２４】
また、電気錠制御部１１３は、例えば、電気錠１３０が通常時に開錠された状態である場合は、ユーザの入退場時に、認証部１１２から認証失敗の情報を受けたときは、施錠命令を電気錠１３０に送信するようにしても良い。そして、ユーザの退場時に、認証部１１２から認証成功の情報を受けたいときは、そのユーザの使用するＰＣ２００の電源の状態を記憶部１１１に記憶されたデータベースにより確認するようにしても良い。そして、ＰＣ２００の電源がＯＮであることが確認されたときは、電気錠１３０に施錠命令を送信し、ユーザ処分部１１４に処分命令を送信するようにしても良い。
【００２５】
ユーザ処分部１１４は、電気錠制御部１１３から処分命令を受けたとき、ユーザに対して処分を行う。ユーザに対する処分としてはいろいろと考えられる。例えば、警告音を鳴らすことにより、ユーザにＰＣ２００の電源をＯＦＦすることを促すようにすると良い。このとき、電気錠１３０に電気錠制御部１１３から開錠命令を送信した上で、警告音を鳴らすようにしても良いし、電気錠１３０を施錠したまま、警告音を鳴らすようにしても良い。また、警告としては、入退場管理装置１００がモニタを備えるようにし、警告音の他に、モニタにＰＣ２００の電源がＯＮの状態であることをユーザに伝えるメッセージを表示するようにしても良い。または、警告音の代わりに、ＰＣ２００がＯＮの状態であることをユーザに伝えるメッセージを音声で流すようにしても良い。
【００２６】
このように、自動的にＰＣ２００の電源をＯＦＦにするのではなく、警告音を鳴らし、ＰＣ２００の電源がＯＮであることを伝えることにより、ユーザ自らの手でＰＣ２００をＯＦＦにすることを促すことが可能になる。また、このように、ユーザ自らの手でＰＣ２００の電源をＯＦＦにすることにより、ＰＣ２００を強制終了することがなくなるため、保存されていないデータの破壊などを防ぐことができる。また、退場後には、ＰＣ２００の電源がＯＦＦの状態になるため、無駄な電気使用を防ぐことができるようになる。これは、電気料金の低減を可能にする。また、ユーザの退場後、つまり、ユーザの不在時には、ＰＣ２００の電源がＯＦＦになるため、ＰＣ２００内の情報が漏れるのを防ぐことが可能になる。つまり、ＰＣ２００のセキュリティー性が高まる。
【００２７】
また、例えば、ユーザ処分部１１４は、電気錠制御部１１３から処分命令を受けたときに、その部屋の管理者にＥメールを送信するようにしても良い。例えば、データベースに、ユーザの識別番号とともにそのユーザの名前も記載するようにし、そのＥメールには、ＰＣ２００の電源をＯＮのまま退場しようとしたユーザの名前を記載するようにすると良い。このようにすることにより、ＰＣ２００の電源をＯＮにしたまま退社しようとしたユーザに対して、Ｅメールを受信した部屋の管理者からも警告をすることが可能になり、エコロジー視点からのコンプライアンスをより推進することが可能になる。
【００２８】
フラグ更新部１１５は、記憶部１１１に記憶されたデータベースにおけるＰＣ２００の電源のＯＮ／ＯＦＦの情報の更新を行う。あるユーザが使用するＰＣ２００が起動されたときには、そのユーザの識別番号に関連付けられたＰＣ２００のＯＮ／ＯＦＦ情報をＯＮに更新する。また、あるユーザが使用するＰＣ２００がシャットダウンされたときには、そのユーザの識別番号に関連付けられたＰＣ２００のＯＮ／ＯＦＦ情報をＯＦＦに更新する。
【００２９】
このＰＣ２００のＯＮ／ＯＦＦ情報を更新する方法はいろいろと考えられる。例えば、ＰＣ２００の起動スクリプト、シャットダウンスクリプトにＯＮ／ＯＦＦ情報を更新するためのスクリプトを記述しておき、ＰＣ２００の起動、シャットダウン時に、ＰＣ２００の起動スクリプト、シャットダウンスクリプトが記憶部１１１のデータベースを直接書き換えるようにしても良い。また、上記のように、フラグ更新部１１５を電気錠制御装置１１０が備えるようにし、ＰＣ２００の起動時、シャットダウン時にそれぞれ、起動情報、シャットダウン情報を、ＰＣ２００からフラグ更新部１１５に送信するようにし、フラグ更新部１１５がデータベースの情報を更新するようにしても良い。
【００３０】
このようにすることにより、ユーザの使用するＰＣ２００の電源のＯＮ／ＯＦＦ情報を管理することが可能になる。そして、このように更新された情報を使用することにより、上記のように、電源がＯＮのまま、退場するユーザに処分を施すことが可能になる。
【００３１】
＜起動時における処理動作例＞
図４は、ＰＣ２００の起動時に、本実施形態に係る入退場管理システムにおいて行われる処理動作を示す図である。ＰＣ２００が起動されると（Ｓ１０１）、ＰＣ２００は、起動スクリプトが実行し、記憶部１１１に記憶されたデータベースにおける、そのＰＣ２００の電源ＯＮ／ＯＦＦ情報の部分をＯＮに更新する（Ｓ１０２）。上述したように、それぞれのＰＣ２００の電源ＯＮ／ＯＦＦ情報は、そのＰＣを使用するユーザに識別番号に関連付けられてデータベースとして記憶部１１１に記憶されている。
【００３２】
＜シャットダウン時における処理動作例＞
図５は、ＰＣ２００のシャットダウン時に、本実施形態に係る入退場管理システムにおいて行われる処理動作を示す図である。ＰＣ２００がシャットダウンされると（Ｓ２０１）、ＰＣ２００は、起動スクリプトが実行し、記憶部１１１に記憶されたデータベースにおける、そのＰＣ２００の電源ＯＮ／ＯＦＦ情報の部分をＯＦＦに更新する（Ｓ２０２）。上述したように、それぞれのＰＣ２００の電源ＯＮ／ＯＦＦ情報は、そのＰＣを使用するユーザに識別番号に関連付けられてデータベースとして記憶部１１１に記憶されている。
【００３３】
＜ユーザの退場時における処理動作例＞
図６は、ユーザの退場時に、本発明の実施形態に係る入退場管理装置１００において行われる処理動作を示す図である。ユーザが識別カードをカードリーダ１２０にかざす（Ｓ３０１）。カードリーダ１２０は、その識別カードに記憶されている識別番号をその識別カードから読み取り、その識別番号を電気錠制御装置１１０に送信する（Ｓ３０２）。電気錠制御部１１０の認証部１１２は、カードリーダ１２０から識別番号を受け取り、その識別番号が記憶部１１１に記憶されたデータベースに記載されているかを確認する（Ｓ３０３）。記載されていないときは（Ｓ３０３、Ｎｏ）、処理動作を終了する。
【００３４】
記載されているときは（Ｓ３０３、Ｙｅｓ）、認証部１１２は認証成功の情報を電気錠制御部１１３に送信する。そして、電気錠制御部１１３は、認証成功の情報を受け、その識別番号に関連付けられたＰＣ２００の電源のＯＮ／ＯＦＦ状態を記憶部１１１に記憶されたデータベースにより確認する（Ｓ３０４）。ＰＣの電源がＯＦＦであることが確認されたとき（Ｓ３０４、Ｙｅｓ）、電気錠制御部１１３は、電気錠１３０に開錠命令を送信する。そして、電気錠１３０は、開錠命令を電気錠制御部１１３から受け取り、部屋の扉の開錠を行う（Ｓ３０５）。ここで、電気錠１３０は、通常時は施錠されているものとする。
【００３５】
ＰＣの電源がＯＮであることが確認されたとき（Ｓ３０４、Ｎｏ）、電気錠制御部１１３は、ユーザ処分部１１４に処分命令を送信する。そして、ユーザ処分部１１４は、処分命令を電気錠制御部１１３から受け取り、所定の処分を行う（Ｓ３０６）。なお、所定の処分としては、いろいろと考えられる。所定の処分として、例えば、上述したような処分がある。
【００３６】
このようにすることにより、ユーザがＰＣ２００の電源をＯＮにしたまま退場にしようとしたときに、扉が開錠されず、ユーザを部屋が退場できなくなる。そして、上記の所定の処理として、上述のように、ＰＣ２００がＯＮであることをユーザに伝えるようにすれば、ユーザにＰＣの電源をＯＦＦにすることを促すことができる。これにより、無駄な電気使用を抑制することが可能になる。
【００３７】
ユーザが、ＰＣにより処理時間の長い数値計算などを行っているときなど、ＰＣの電源をＯＮのままで退場したいときは、その旨を入力することができる装置を入退場管理装置１００が備えるようにし、その旨の入力があったときは、扉の開錠を行うようにしても良い。このようにすることにより、無駄な電力使用だけを抑制することが可能になる。
【００３８】
上述した実施形態における処理動作は、ハードウェア、または、ソフトウェア、あるいは、両者の複合構成によって実行することも可能である。
【００３９】
なお、ソフトウェアによる処理を実行する場合には、処理シーケンスを記録したプログラムが格納されているＲＯＭ（Read Only Memory）から、専用のハードウェアに組み込まれているコンピュータ内のメモリ（ＲＡＭ）にプログラムを読み込んで実行させるか、あるいは、各種処理が実行可能な汎用コンピュータにプログラムをインストールして実行させることが可能である。
【００４０】
例えば、プログラムは、記録媒体としてのハードディスクやＲＯＭに予め記録しておくことが可能である。あるいは、プログラムは、フロッピー（登録商標）ディスク等の磁気ディスク、ＣＤ（Compact Disc）、ＤＶＤ(Digital Versatile Disc)等の光ディスク、ＭＯ（Magneto Optical）ディスク等の光磁気ディスクなどのリムーバブル記録媒体に、一時的、あるいは、永続的に格納（記録）しておくことが可能である。
【００４１】
このようなリムーバブル記録媒体は、いわゆるパッケージソフトウェアとして提供することが可能である。
【００４２】
なお、プログラムは、上述したようなリムーバブル記録媒体からコンピュータにインストールする他、ダウンロードサイトから、コンピュータに無線転送したり、ＬＡＮ（Local Area Network）、インターネットといったネットワークを介して、コンピュータに有線で転送したりし、コンピュータでは、転送されてきたプログラムを受信し、内蔵するハードディスク等の記録媒体にインストールすることが可能である。
【００４３】
また、上記実施形態で説明した処理動作に従って時系列的に実行されるのみならず、処理を実行する装置の処理能力、あるいは、必要に応じて並列的にあるいは個別に実行するように構築することも可能である。
【００４４】
また、上記実施形態で説明したシステムは、複数の装置の論理的集合構成にしたり、各装置の機能を混在させたりするように構築することも可能である。
【００４５】
以上、本発明の好適な実施の形態により本発明を説明した。ここでは特定の具体例を示して本発明を説明したが、特許請求の範囲に定義された本発明の広範囲な趣旨および範囲から逸脱することなく、これら具体例に様々な修正および変更が可能である。
【００４６】
また、本発明における入退場管理システムは、前記ユーザに対する処分は、扉の錠を開錠しないことであるようにしても良い。
【００４７】
また、本発明における入退場管理システムは、前記ユーザに対する処分は、警告音を鳴らすことであるようにしても良い。
【００４８】
また、本発明における入退場管理装置は、前記データベースに記述された前記情報処理装置の電源の状態の記載を更新する更新手段を有するようにしても良い。
【００４９】
また、本発明における入退場管理装置は、前記ユーザに対する処分は、扉の錠を開錠しないことであるようにしても良い。
【００５０】
また、本発明における入退場管理装置は、前記ユーザに対する処分は、警告音を鳴らすことであるようにしても良い。
【００５１】
上記の実施形態の一部又は全部は、以下の付記のようにも記載されうるが、以下に限られない。
【００５２】
（付記１）入退場管理装置と複数の情報処理装置とを有して構成される入退場管理システムであって、前記入退場管理装置は、前記複数の情報処理装置それぞれの電源の状態と当該情報処理装置を使用するユーザの識別番号とを関連付けて記述したデータベースを記憶する記憶手段と、前記識別番号の入力を受ける入力手段と、前記データベースに基づき、前記入力手段により入力された識別番号に関連付けられた情報処理装置の電源の状態を確認する確認手段と、前記確認手段により確認された情報処理装置の電源の状態がＯＮであるときに、当該情報処理装置を使用するユーザに対する処分を行うユーザ処分手段と、を有し、前記複数の情報処理装置は、起動時とシャットアウト時に前記データベースに記述された電源の状態の記載を更新する更新手段を、有することを特徴とする入退場管理システム。
【００５３】
（付記２）前記ユーザに対する処分は、扉の錠を開錠しないことであることを特徴とする請求項１に記載の入退場管理システム。
【００５４】
（付記３）前記ユーザに対する処分は、警告音を鳴らすことであることを特徴とする請求項１または２のいずれか１項に記載の入退場管理システム。
【００５５】
（付記４）接続した複数の情報処理装置それぞれの電源の状態と当該情報処理装置を使用するユーザの識別番号とを関連付けて記述したデータベースを記憶する記憶手段と、前記識別番号の入力を受ける入力手段と、前記データベースに基づき、前記入力手段により入力された識別番号に関連付けられた情報処理装置の電源の状態を確認する確認手段と、前記確認手段により確認された情報処理装置の電源の状態がＯＮであるときに、当該情報処理装置を使用するユーザに対する処分を行うユーザ処分手段と、を有することを特徴とする入退場管理装置。
【００５６】
（付記５）前記データベースに記述された前記情報処理装置の電源の状態の記載を更新する更新手段を有することを特徴とする請求項１に記載の入退場管理装置。
【００５７】
（付記６）前記ユーザに対する処分は、扉の錠を開錠しないことであることを特徴とする請求項４または５のいずれか１項に記載の入退場管理装置。
【００５８】
（付記７）前記ユーザに対する処分は、警告音を鳴らすことであることを特徴とする請求項４から６のいずれか１項に記載の入退場管理装置。
【００５９】
（付記８）入退場管理装置による、接続した複数の情報処理装置それぞれの電源の状態と当該情報処理装置を使用するユーザの識別番号とを関連付けて記述したデータベースを記憶する記憶ステップと、前記データベースに基づき、前記ユーザにより入力された識別番号に関連付けられた情報処理装置の電源の状態を確認する確認ステップと、前記確認ステップにより確認された情報処理装置の電源の状態がＯＮであるときに、当該情報処理装置を使用するユーザに対する処分を行うユーザ処分ステップと、を有し、前記複数の情報処理装置による、起動時とシャットアウト時に前記データベースに記述された電源の状態の記載を更新する更新ステップを、有することを特徴とする入退場管理方法。
【００６０】
（付記９）接続した複数の情報処理装置それぞれの電源の状態と当該情報処理装置を使用するユーザの識別番号とを関連付けて記述したデータベースを記憶する記憶ステップと、前記データベースに基づき、ユーザにより入力された識別番号に関連付けられた情報処理装置の電源の状態を確認する確認ステップと、前記確認ステップにより確認された情報処理装置の電源の状態がＯＮであるときに、当該情報処理装置を使用するユーザに対する処分を行うユーザ処分ステップと、を有することを特徴とする入退場管理方法。
【００６１】
（付記１０）入退場管理装置を、接続した複数の情報処理装置それぞれの電源の状態と当該情報処理装置を使用するユーザの識別番号とを関連付けて記述したデータベースを記憶する記憶手段と、前記識別番号の入力を受ける入力手段と、前記データベースに基づき、前記入力手段により入力された識別番号に関連付けられた情報処理装置の電源の状態を確認する確認手段と、前記確認手段により確認された情報処理装置の電源の状態がＯＮであるときに、当該情報処理装置を使用するユーザに対する処分を行うユーザ処分手段として機能させるプログラム。
【符号の説明】
【００６２】
１００    入退場管理装置
１１０    電気錠制御装置
１１１    記憶部
１１２    認証部
１１３    電気錠制御部
１１４    ユーザ処分部
１１５    フラグ更新部
２００    ＰＣ
【図１】
2011170608.tif 000003
【図２】
2011170608.tif 000004
【図３】
2011170608.tif 000005
【図４】
2011170608.tif 000006
【図５】
2011170608.tif 000007
【図６】
2011170608.tif 000008